(57)【要約】      （修正有）【課題】光接続構成群の改良された溶接を可能にしたＴＯパッケージを簡単に提供する。【解決手段】ＴＯパッケージ１であって、少なくとも１つのオプトエレクトロニクス構成素子を備えたヘッダ２を有し、ヘッダ２は、電磁放射線に対して透過性の、特にレンズ９として形成された窓を有する、ポット状に形成された金属キャップ３と結合されていて、オプトエレクトロニクス構成素子は、気密に閉鎖された内部空間内に配置されている。金属キャップ３の壁は、ヘッダ２に隣接する金属キャップ３の側壁の領域に比べ、内部空間に向かって厚くなるように形成された、少なくとも１つの側壁領域および／または端面壁領域を有している。【選択図】図１
2019169706.tif 000002
【特許請求の範囲】
【請求項１】
少なくとも１つのオプトエレクトロニクス構成素子を備えたヘッダを有するＴＯパッケージであって、前記ヘッダは、電磁放射線に対して透過性の、特にレンズとして形成された窓を有する、ポット状に形成された金属キャップと結合されていて、前記オプトエレクトロニクス構成素子は、気密に閉鎖された内部空間内に配置されており、
前記金属キャップの壁は、前記ヘッダに隣接する前記金属キャップの側壁の領域に比べ、前記内部空間に向かって厚くなるように形成された、少なくとも１つの側壁領域および／または端面壁領域を有していることを特徴とする、ＴＯパッケージ。
【請求項２】
前記ヘッダに隣接する前記金属キャップの領域に比べて厚くされた前記側壁領域および／または前記端面壁領域は、少なくとも１．２倍、好適には少なくとも１．５倍および／または５倍未満の壁厚さを有している、請求項１記載のＴＯパッケージ。
【請求項３】
前記ヘッダに隣接する側壁の領域は、０．１０〜０．２５ｍｍの壁厚さを有しており、前記厚くされた側壁領域および／または端面壁領域は、０．３〜１．０ｍｍの壁厚さを有している、請求項１または２記載のＴＯパッケージ。
【請求項４】
前記ヘッダの床は、壁厚さが変化する、前記金属キャップの側壁の移行領域から隔てられている、請求項１から３までのいずれか１項記載のＴＯパッケージ。
【請求項５】
前記ヘッダに配置された少なくとも１つの電子構成素子は、前記移行領域の下側に突出している、請求項４記載のＴＯパッケージ。
【請求項６】
前記金属キャップは、ろう接されたレンズを備える、深絞り加工されたキャップとして形成されている、請求項１から５までのいずれか１項記載のＴＯパッケージ。
【請求項７】
前記金属キャップは、少なくとも２ｍｍ、好適には少なくとも２．５ｍｍおよび／または最大１０ｍｍ、好適には最大４．５ｍｍの外径を有しており、
かつ／または前記金属キャップのケーシングおよび／または光接続構成群のケーシングは、１４ｐｐｍ／Ｋ未満、好適には１２ｐｐｍ／Ｋ未満の線熱膨張係数α（２０〜３００℃の平均値）を有する材料から成っており、
かつ／または少なくとも前記金属キャップのケーシングは、鉄・ニッケル合金またはニッケル・コバルト合金またはフェライト系特殊鋼から成っており、
かつ／または当該ＴＯパッケージは、モノモードファイバを接続する光接続構成群に結合されており、
かつ／または当該ＴＯパッケージは、ＴＯ−４１、ＴＯ−４６、ＴＯ−３８またはＴＯ−５６型のパッケージとして形成されており、
かつ／または前記厚くされた側壁領域は、前記側壁の高さの少なくとも３０％以上、好適には少なくとも５０％以上、および／または前記側壁の高さの９０％未満、好適には８０％未満にわたり延在している、請求項１から６までのいずれか１項記載のＴＯパッケージ。
【請求項８】
請求項１から７までのいずれか１項記載のＴＯパッケージと、該ＴＯパッケージに結合された、導光ファイバを接続する光接続構成群とを備えたユニットであって、
前記光接続構成群のケーシングは、前記厚くされた側壁領域および／または端面壁領域において、前記金属キャップに溶接されている、ユニット。
【請求項９】
前記金属キャップと、前記光接続構成群のケーシングとは、複数の溶接スポット、特に前記光接続構成群の前記ケーシングの全周にわたり不規則に分散された溶接スポットを介して互いに結合されている、請求項８記載のユニット。
【請求項１０】
請求項１から９までのいずれか１項記載のＴＯパッケージ用の金属キャップであって、端面壁の中心に配置された窓を備える、ポット状に形成されたケーシングを有しており、側壁は、該側壁の下側領域に隣接する領域に比べかつ／または前記端面壁に比べ、より小さな壁厚さを有する下側領域を有している、金属キャップ。
【請求項１１】
請求項１から１０までのいずれか１項記載のＴＯパッケージの製造方法であって、金属キャップ用のブランクを金属薄板から打ち抜いてスタンピングして、壁厚さの厚さが異なる領域ならびに開口を形成し、前記ブランクを深絞り加工して金属キャップを形成し、深絞り加工後に窓、特にレンズを前記開口内に挿入する、製造方法。
【請求項１２】
光データ伝送システムであって、請求項１から１１までのいずれか１項記載のＴＯパッケージと光接続構成群とを備えたユニットを有しており、前記ＴＯパッケージはエミッタを有しており、該エミッタの光は、モノモードファイバ内に入射結合される、光データ伝送システム。
【発明の詳細な説明】
【技術分野】
【０００１】
本発明は、ＴＯ（Transistor Outline）パッケージおよびＴＯパッケージの製造方法に関する。さらに本発明は、ＴＯパッケージを備えたユニットおよびＴＯパッケージ用の金属キャップにも関する。
【０００２】
本発明は特に、送信側に用いられるＴＯパッケージ、つまり、導光体内へ入射結合させるように電気信号を光信号に変換するＴＯパッケージに関する。特に本発明は、光をモノモードファイバ内へ入射結合させるように形成されたＴＯパッケージに関する。
【０００３】
発明の背景
光ファイバ伝送技術では、ファイバコア内への光の良好な入射結合を保証するために、対応する光学系の手前に導光ファイバ、特にガラスファイバが高い寸法精度でもって取り付ける必要がある。このことは特に、導光体コアが約９μｍの直径を有しているに過ぎないモノモード（英：シングルモード）ファイバに当てはまる。構成部品の相互配置は、後で動作中に変更されてはならない、もしくは極僅な変更しか許されない。
【０００４】
実地から周知の気密に閉鎖されたＴＯパッケージは、特に深絞り加工された金属キャップを有しており、金属キャップは、溶接またはろう接によりヘッダに結合されており、ヘッダには、受信ダイオードまたは送信ダイオードが載置されている。
【０００５】
ＴＯパッケージは、特にレンズとして形成された窓を有している。導光ファイバ内への入射結合を保証するために、実地から、パッケージをまず光接続構成群（光サブアセンブリ）に結合することが周知である。光構成群は、光構成群自体が導光ファイバ用のカップリング部材として用いられてよいか、または光構成群自体に導光ファイバが含まれていてよく、光構成群に光が入射結合または出射結合されるようになっており、この場合、光構成群は例えば差込みカップリングを介して導光ファイバと結合されており、導光ファイバを介してデータ信号が広範にわたり伝送される。
【０００６】
マルチモードファイバ用の光接続構成群は、一般にプラスチック射出成形部品として形成されている。内部にダイオードが配置されている金属ケーシングとは異なるプラスチックの線熱膨張係数に基づき既に、このようなプラスチック製の光接続構成群は、モノモードファイバにはあまり適していない。
【０００７】
よってモノモードファイバの場合には、光接続構成群が金属ケーシングを有しており、この金属ケーシングがＴＯパッケージに溶接されていると、有利である。これにより、ＴＯパッケージと光接続構成群との間での高い寸法精度が保証されたユニットが提供され得る。
【０００８】
ただしこの場合に問題なのは、溶接、特にレーザ溶接によりケーシング材料中に応力がもたらされ、この応力は、少なくとも冷却後にも再び幾何学形状変化をもたらす、という点である。これは特に、ＴＯパッケージ用に深絞り加工されたキャップのケーシング壁は通常極めて薄い、ということに関して当てはまり、それに加えて溶接時にケーシング壁が穿孔され、ケーシングの気密シールが失われる、という危険も生じる。しかしまた、壁厚さを増大させることも簡単にはできない。それというのも、これによりケーシングの幾何学形状が変化して、ケーシングが最早、実地で使用される規格ケーシングに対応しなくなるからである。
【０００９】
よって、刊行物である中国実用新案第２０１３１１５０４号明細書（CN 2013 11504 Y）の教示では、光接続構成群がＴＯパッケージのキャップに溶接されるのではなく、代わりにアダプタリングがＴＯパッケージのヘッダに溶接され、アダプタリング自体は光接続構成群に結合されている。この方式は手間がかかると共に、アダプタリングの存在に基づき、ＴＯパッケージと光接続構成群とから形成される組み合わせが、その寸法から見て最早、従来使用された構成形式には適合していない。さらに、追加的な構成要素としてのアダプタリングにより、さらなる形状・位置誤差が系にもたらされ、これらの形状・位置誤差もやはり、入射結合されるべきライトスポットに対するファイバ端部の整合に影響を及ぼす恐れがある。
【００１０】
発明の課題
これに対して本発明の根底を成す課題は、従来技術の前記欠点を少なくとも減らすことにある。
【００１１】
特に本発明の課題は、光接続構成群の改良された溶接を可能にし、その他の点では従来技術から周知の構成形式に適合したＴＯパッケージを簡単に提供することにある。
【００１２】
発明の概要
本発明の前記課題は、各独立請求項に記載のＴＯパッケージ、ＴＯパッケージを備えたユニット、ＴＯパッケージ用の金属キャップならびにＴＯパッケージの製造方法により、既に解決される。
【００１３】
本発明の好適な実施形態および改良は、各従属請求項、明細書ならびに図面の記載から看取され得る。
【００１４】
本発明は、少なくとも１つのオプトエレクトロニクス構成素子を備えたヘッダを有するＴＯパッケージ（Transistor Outlineパッケージ）に関する。ヘッダには、特にエミッタ、特にエッジ発光体型のエミッタと、モニタダイオードとが配置されている。エッジ発光体型のエミッタは、特に９０°の角度で上向きに、つまりＴＯパッケージの窓に向かって回動されて形成されていてよい。エミッタとしては、４５°ミラーを備えたエッジ発光体が用いられてもよい。
【００１５】
ヘッダに配置された電子構成素子とオプトエレクトロニクス構成素子とを接続することができるようにするために、ヘッダは複数の電気的な貫通案内部を有している。これらの貫通案内部は、特にヘッダの上面から下面まで延在しており、好適にはガラス封止された接続ピンとして形成されている。ヘッダは、好適には金属から成っているが、本発明の１つの別の実施形態ではセラミックスから成っていてもよい。
【００１６】
ヘッダは、ポット状に形成された金属キャップと結合されている。ポット状の金属キャップは、好適には平らな底部を有しており、底部はＴＯパッケージの端面壁を形成しており、底部から側壁が始まっている。金属キャップは、特に円筒状の横断面を有しているが、本発明の１つの別の実施形態では、楕円形の横断面を有していてもよい。しかしまた、側壁が円錐形に形成されていてもよい。
【００１７】
金属キャップは、電磁放射線に対して透過性の窓を有しており、この窓は、特にレンズとして形成されている。
【００１８】
窓もしくはレンズは、特にガラス窓もしくはガラスレンズとして形成されており、ガラス窓もしくはガラスレンズは、金属キャップの端面壁に設けられた中心開口内に、ソルダーガラスを用いて固定されている。
【００１９】
金属キャップとヘッダとは、特に溶接またはろう接により互いに結合されている。これにより、気密に閉鎖された内部空間が形成され、この内部空間内にはオプトエレクトロニクス構成素子が配置されている。
【００２０】
金属キャップは、特に深絞り加工された金属キャップとして形成されている。
【００２１】
本発明に基づき、金属キャップの壁は、ヘッダに隣接する金属キャップの側壁の領域に比べ、ＴＯパッケージの内部空間に向かって厚くなるように形成された、少なくとも１つの側壁領域および／または端面壁領域を有している。
【００２２】
つまり、金属キャップがヘッダに隣接して有する側壁の領域は、その上に位置する側壁および／または端面壁の領域よりも小さな壁厚さを有している。壁厚さが特に段状に増大された移行領域は、ＴＯパッケージの内部空間内に位置している。
【００２３】
よって、外寸、特に直径から見て、既に従来技術から周知の構成形式と同一の金属キャップを提供することができ、しかもこの金属キャップの場合は、壁が端面側および／または側壁の所定の領域において厚くなるように形成されている。その結果、ＴＯパッケージの金属キャップのケーシング壁が穿孔されるという危険が生じること無しに、特にレーザスポット溶接による金属製の光接続構成群の溶接が、簡単に可能である。
【００２４】
同時に、厚くされた領域により機械的な安定性が向上し、その結果、溶接によりケーシングの材料中にもたらされる応力が低下する。
【００２５】
さらに幾何学形状特性も、ヘッダの領域の、より薄い壁厚さに基づき、機械的な応力が吸収され得ることにより、改良されると考えられる。
【００２６】
さらに、ヘッダの領域の、より薄い壁厚さに基づき、動作中の熱伝達が端面壁の方向において低下され、このこともやはり、熱的な変形に基づく幾何学形状欠陥を減らすことに寄与する。
【００２７】
好適には、ヘッダに隣接する金属キャップの領域に比べて厚くされた側壁領域および／または端面壁領域は、少なくとも１．２倍、特に好適には１．５倍および／または５倍未満、特に２．５倍未満の壁厚さを有している。
【００２８】
さらに好適には、ヘッダに隣接した側壁の領域は、０．１〜０．２５ｍｍの壁厚さを有しているのに対し、厚くされた側壁領域および／または端面壁領域は、０．３〜１．０ｍｍの厚さを有していることが想定されている。
【００２９】
本発明の１つの改良では、ヘッダの床、つまり少なくともオプトエレクトロニクス構成素子が実装されたヘッダの上面は、壁厚さが変化する、金属キャップの側壁の移行領域から隔てられている。
【００３０】
つまり、金属キャップと結合されたヘッダは、側壁がより薄く形成されている領域全体を占めているわけではなく、より小さな壁厚さを有する部分内で終わっている。
【００３１】
これにより、熱伝達が端面壁の方向においてひいては光接続構成群の方向においても減じられることになる。
【００３２】
さらに、ヘッダの上面において電子構成素子を実装することができる面積は変わらない。
【００３３】
よって、本発明の１つの別の実施形態では、ヘッダに配置された電子構成素子は、移行領域の下側に突出しているようになっている。
【００３４】
壁厚さが増大する移行領域は、特にヘッダの上面の上側でケーシング壁に配置された段部として形成されている。この段部の下側には、電子構成素子もしくは電子構成素子の一部、特に電子構成素子の電気的な接触接続部も配置されていてよい。
【００３５】
金属キャップは、少なくとも２ｍｍ、好適には少なくとも２．５ｍｍおよび／または最大１０ｍｍ、好適には最大４．５ｍｍの外径（端面壁に隣接して測定）を有している。
【００３６】
金属キャップのケーシングおよび／または光接続構成群のケーシングは、好適には、１４ｐｐｍ／Ｋ未満、特に好適には１２ｐｐｍ／Ｋ未満の線熱膨張係数α（２０〜３００℃の平均値）を有する材料から成っている。
【００３７】
金属キャップのケーシングは、特に鉄・ニッケル合金またはニッケル・コバルト合金から成っていてよい。さらに金属キャップのケーシングは、防食コーティング、特にニッケルおよび／または金を含むコーティングを備えていてよい。さらに金属キャップのケーシング用には、フェライト系ステンレス鋼が用いられてもよい。フェライト系ステンレス鋼は、防食コーティングで被覆される必要がない、という利点を有している。
【００３８】
光接続構成群のケーシングも、やはり鉄・ニッケル合金またはニッケル・コバルト合金から成っていてよい。
【００３９】
さらに光接続構成群のケーシング用には特殊鋼、特にフェライト系特殊鋼が用いられてもよい。フェライト系特殊鋼は、防食コーティングで被覆される必要がない、という利点を有している。
【００４０】
窓は、好適にはガラスから成っており、このガラスの線熱膨張係数αは、金属キャップの材料の線膨張係数の０．９０〜１．１０倍に相当する。
【００４１】
本発明の１つの実施形態では、ＴＯパッケージは、モノモードファイバを接続するための光接続構成群に結合されている。光接続構成群は、モノモードファイバを包囲していてよいか、またはモノモードファイバと結合されていてよい。モノモードファイバは特に、１０μｍ未満の直径を有する導光コアを有している。
【００４２】
ＴＯパッケージは、特にＴＯ−４１、ＴＯ−４６、ＴＯ−３８またはＴＯ−５６型のパッケージとして形成されている。
【００４３】
側壁の厚くされた領域は、好適には側壁の高さの少なくとも３０％以上、特に好適には少なくとも５０％以上および／または９０％未満、好適には８０％未満にわたり延在している。
【００４４】
本発明はさらに、上述したＴＯパッケージと、ＴＯパッケージに結合された、導光ファイバ、特にモノモードファイバを接続するための光接続構成群とを備えたユニットに関する。
【００４５】
光接続構成群のケーシングは、厚くされた側壁領域および／または端面壁領域において、金属キャップに溶接されている。
【００４６】
特に、光接続構成群の金属ケーシングは、複数の溶接スポット、特にレーザ溶接スポットを介して金属キャップに結合されているようになっている。
【００４７】
光接続構成群が端面壁と結合されている場合には、溶接スポットは、好適には金属キャップの中心軸線を中心として円形に延在している。
【００４８】
側壁に溶接されている場合には、好適には光接続構成群のケーシングがスリーブを形成しており、このスリーブ内に金属キャップが配置されており、この場合、複数の溶接スポットがスリーブの周りに延在している。
【００４９】
本発明の１つの改良では、金属キャップと、光接続構成群のケーシングとが、複数の溶接スポットを介して溶接されており、この場合、これらの溶接スポットは、光接続構成群のケーシングの全周にわたり、不規則に分散されている。
【００５０】
テストモード中に溶接スポットを設定することにより、以下でさらに詳しく説明するように、溶接スポット自体を介して形状・位置誤差の修正を行うことができ、その結果、エミッタから放射された光は軸方向において整合されたスポットとして、光ファイバの導光コアの端部に集束されることになる。
【００５１】
このことは、溶接スポットが不規則に分散された配置につながり、つまりこの配置では、溶接スポットはそれぞれ互いに同じ角度を形成するのではなく、全周にわたり互いに異なる角度で分散されている。
【００５２】
本発明はさらに、上述したＴＯパッケージ用の金属キャップに関する。
【００５３】
この金属キャップは、特に上で金属キャップに関連して説明した全ての特徴を有していてよい。
【００５４】
金属キャップは、ポット状に形成されたケーシング、つまり好適には円筒状に構成されたケーシングを有しており、このケーシングでは、窓用の開口が配置された、端面壁と呼ばれる底部から側方へ１方向のみに向かって、環状の側壁が始まっている。
【００５５】
側壁は、この側壁の下側領域に隣接する領域に比べかつ／または端面壁に比べ、より小さな壁厚さを有する下側領域を有している。
【００５６】
この場合、壁厚さが変化する、特に段状に形成された移行領域は、ポット状のキャップの内側、好適にはポット状のキャップの内側の側壁に配置されている。
【００５７】
本発明はさらに、上述したＴＯパッケージの製造方法に関する。
【００５８】
この場合、金属キャップ用のブランクを金属薄板から打ち抜いてスタンピングし、これにより、壁厚さの厚さが異なる領域ならびに開口が形成される。
【００５９】
特に、金属薄板にリング状のプレ段部を形成することが想定されており、この金属薄板においてリングの外側領域が、リングの内側領域よりも小さな壁厚さを有するようにスタンピングされる。
【００６０】
前記プレ段部は、後続の工具ステーションにおいて金属キャップに深絞り加工され、深絞り加工後に窓、特にレンズが開口内に挿入される。
【００６１】
打抜き、スタンピングおよび深絞り加工は、本発明の１つの好適な実施形態では同一の工具で実施される。
【００６２】
側壁の上側に位置する領域よりも薄く形成された側壁の下側領域を有するポット状の金属キャップを準備することが、ただ１つの方法ステップにおいて１つの適当な工具により可能である、ということが判った。このことは特に、第１のステップにおいて金属薄板からリングを打ち抜くと同時に、外側領域がより薄く形成されているようにスタンピングすることにより行うことができる。次いで、例えばマンドレルを用いてリングを深絞り加工して、金属キャップ、特に端面壁とは反対の側にフランジを備えた金属キャップを形成することができる。
【図面の簡単な説明】
【００６３】
以下に、図１〜図６を参照して本発明を各実施例に基づきより詳しく説明する。
【図１】本発明によるＴＯパッケージの１つの実施形態を示す断面図である。
【図２】図１に示したＴＯパッケージが光接続構成群に結合されている様子を示す図であって、この場合、光接続構成群は、ＴＯパッケージの金属キャップの端面壁に結合されている。
【図３】図２に対して択一的な１つの実施形態を示す図であって、ＴＯパッケージの窓がガラス板として形成されている。
【図４】図２または図３に示した、光接続構成群に結合されたＴＯパッケージを端面側から見た平面図である。
【図５】光接続構成群がＴＯパッケージの側壁に結合されている、１つの択一的な実施形態を示す断面図である。
【図６】ＴＯパッケージと光接続構成群とから成るユニットを製造する方法ステップが示された、１つの実施例のフローチャートである。
【００６４】
図面の詳細な説明
図１には、本発明によるＴＯパッケージ１の１つの実施例の断面図が示されている。
【００６５】
ＴＯパッケージ１はヘッダ２を有しており、ヘッダ２の上面２６には少なくとも１つのオプトエレクトロニクス構成素子が配置されている。
【００６６】
この実施形態の例では、ヘッダ２にエミッタ７が設けられており、エミッタ７は、電気信号を光信号に変換するために用いられる。さらにエミッタ７の隣にはモニタダイオード８が設けられており、モニタダイオード８を介してエミッタの出力性能が調整される。エミッタ７は特にエッジ発光体として、エミッタ７に対して４５°だけ回動されたミラー（図示せず）を備えて形成されていてよい。
【００６７】
ヘッダ２は、複数の電気的な貫通案内部を有しており、これらの貫通案内部を介してエミッタ７とモニタダイオード８とが接触接続されている。貫通案内部は、接続ピン４としてヘッダ２の下面１６から導出されている。
【００６８】
接続ピン４は、プリント基板、特にフレキシブルプリント基板５に接続されてよい。
【００６９】
オプトエレクトロニクス構成素子が実装されたこのようなヘッダ２自体は、従来技術から周知である。
【００７０】
ヘッダ２は金属キャップ３と結合されており、これにより、気密に閉じられたＴＯパッケージ１が形成されており、その内部空間６内には、複数の電子構成部品が配置されている。
【００７１】
特にヘッダ２は、結合領域１７において金属キャップの側壁１１にろう接または溶接されていてよく、かつ／またはフランジ２９において金属キャップ３のフランジ１４にろう接または溶接されていてよい。
【００７２】
金属キャップ３は、ポット状に形成されていて端面壁２７を有しており、端面壁２７から側壁１１が始まっている。
【００７３】
金属キャップ３は、端面壁２７とは反対の側で側方に張り出したフランジ１４を有しており、フランジ１４は、ヘッダ２に対するより良好な結合およびより良好な機械的安定性を得るために用いられる。
【００７４】
金属キャップ３は、実質的に円筒形に形成されていて、中心開口１０を有しており、中心開口１０内には、この実施例ではレンズ９として形成された窓が配置されている。レンズ９は、特にソルダーガラスを用いて、端面壁２７の開口１０内に挿入されている。
【００７５】
従来技術とは異なり、金属キャップ３は、少なくとも部分的にヘッダ２に隣接する、側壁１１の領域１２を有している。この領域１２に対して端面壁２７の方向に隣り合う側壁の領域１３ａおよびこの領域１３ａに隣り合う端面壁の領域１３ｂは、厚く形成されている。
【００７６】
この実施例では、ヘッダ２の上面２６の上側に、特に段部として形成された移行領域１５が設けられており、移行領域１５において、深絞りされた金属キャップ３の壁厚さが増大している。
【００７７】
金属キャップ３の外寸は、従来技術から周知の構成形式に相当していてよい。
【００７８】
壁厚さを厚くされた領域１３ａおよび１３ｂに基づき、これらの領域では機械的な安定性が向上しているので、光接続構成群２０（光サブアッセンブリ）を溶接により、簡単に取り付けることができる。
【００７９】
同時に、ヘッダ２に隣接した、側壁１１の薄い方の領域１２により、金属キャップ３の端面壁２７の方向での熱伝達が低下される。
【００８０】
移行領域１５は、ヘッダ２の上面２６から隔てられているため、移行領域１５の下側の領域２８には、電子構成素子が配置されていてよい。
【００８１】
よって、ヘッダ２の上面２６において電子構成素子を実装可能な面積は、有利には本発明の実施形態に基づき、制限されない。
【００８２】
さらに従来技術に比べ、ヘッダ２、特にヘッダ２の直径の変更は不要である。
【００８３】
図２には、図１に示したＴＯパッケージ１が光接続構成群２０と結合されている様子が概略断面図で示されている。
【００８４】
光接続構成群２０は、金属製のケーシング１８を有しており、ケーシング１８は、この実施例では好適にはモノモードファイバとして形成された導光体２１を有している。導光体２１は、特に５０〜２５０μｍの外径を有するモノモードファイバであり、モノモードファイバはフェルール、特にセラミックフェルールに挿入されていて、結合に役立つ。
【００８５】
光接続構成群２０は、フランジ２２を有しており、フランジ２２でもってケーシング１８は、ＴＯパッケージ１の、厚く形成された端面壁２７に溶接されている。ＴＯパッケージ１と光接続構成群２０との間に気密な結合部は不要であり、むしろこれらのコンポーネントを結合するための溶接スポットだけで十分である。
【００８６】
本発明のこの実施例では、エミッタ７から放射された光がレンズ９を介して、導光体２１の導光コアの端部に直接に集束させられる。
【００８７】
さらに、光接続構成群２０は、この実施例では導光体の結合に用いられるカップリング１９を有している。カップリング１９は、特に差込みコネクタとして形成されていてよい。
【００８８】
図３には、図２に対して択一的な、本発明の実施形態が示されている。
【００８９】
図２に示した実施例とは異なり、ＴＯパッケージ１のキャップ３に設けられた窓は、レンズとしてではなく、ガラス板２３として形成されている。
【００９０】
代わりに光接続構成群２０がレンズ２４を有しており、このレンズ２４を介してやはり光が、導光体２１のコアの端部に集束されるようになっている。
【００９１】
この光接続構成群２０も、やはりカップリング１９を有している。
【００９２】
図４は、図２または図３に示したようなＴＯパッケージと光接続構成群とから成るユニットを端面側から見た平面図である。
【００９３】
光接続構成群２０のフランジ２２は、複数の溶接スポット２５ａ〜２５ｇによって金属キャップ３の端面壁２７に結合されていることが認められる。
【００９４】
溶接スポット２５ａ〜２５ｇの設定はテストモードにおいて行われ、その際にモニタダイオード（図１の８）を介して、導光体２１内への入射結合の効率が調べられる。
【００９５】
材料の熱膨張ならびに組織変化に基づき、溶接スポット２５ａ〜２５ｇを介して応力が材料内にもたらされるため、レンズ９，２４を介してファイバ端部のコアに投影されたスポットが軸方向においてコアに整合しているように、溶接スポット２５ａ〜２５ｇの位置により、微調整を行うことができる。
【００９６】
よって溶接スポット２５ａ〜２５ｇは不規則に分散されている、つまり中心軸線に対して互いに異なる角度を占めている。
【００９７】
図５は、本発明の１つの択一的な実施形態の概略断面図である。この実施形態では、光接続構成群２０がＴＯパッケージ１に結合されており、この場合、光接続構成群は金属キャップ３の端面壁２７とではなく、側壁１１と結合されている。
【００９８】
この場合、ケーシング１８をキャップ３に結合する複数の相応の溶接スポット（図示せず）は、側壁１１の厚くされた領域１３ａ内に配置されている。
【００９９】
図５に示す光接続構成群の実施例も、導光ファイバ２１ならびに光伝送系に対する接続用のカップリング１９を有している。好適には、カップリング１９には内部に導光ファイバが挿入されたフェルールが含まれる。
【０１００】
上述したＴＯパッケージ１を製造し得る方法を、図６に示すフローチャートを参照して説明する。
【０１０１】
まず、金属薄板、特に低膨張合金から成る金属薄板から、金属キャップ３用のリング状のブランクを打ち抜き、ブランクの縁部領域が、その他の領域よりも薄い壁厚さを有するようにスタンピングする。
【０１０２】
次いで、ブランクを深絞り加工して、金属キャップ３を形成する。深絞り加工は、好適には打抜きおよびスタンピングと同じ工具で行われる。
【０１０３】
キャップの中心開口１０に、好適にはレンズ９の形態の窓を挿入し、例えばソルダーガラスを用いて固定する。
【０１０４】
次いで、金属キャップ３をヘッダ２に溶接またはろう接する。このときヘッダには既にオプトエレクトロニクス構成素子が実装されている。溶接は保護ガス下で行い、気密な結合部を形成する。
【０１０５】
光接続構成群２０をＴＯパッケージ１に結合するためには、ＴＯパッケージ１をまずテストモードにし、光接続構成群に連結された導光体（図示せず）を介して、出射結合された出力を測定するための測定装置に結合する。
【０１０６】
光接続構成群２０を被せ嵌め、ＴＯパッケージ１に対して、ＴＯパッケージ１から最大出力が出射結合されるように調整する。このことは測定装置により継続して管理される。次いで光接続構成群２０と金属キャップ３とを互いに結合するために、まず溶接スポットを設定する（例えば全周にわたり規則的に配分された３つの溶接スポット２５ａ，２５ｃおよび２５ｅ）。
【０１０７】
次いで、構成素子の微調整を行い、これにより信号を最適化するために、別の溶接スポット２５ｂ，２５ｄ，２５ｆ，２５ｇを設定することができる。
【０１０８】
本発明により、特に光データ伝送ネットワークにおける送信ダイオードに用いられるＴＯパッケージを提供することができた。このＴＯパッケージは、溶接による、光接続構成群の簡略化された取付けを可能にし、この場合同時に、周知の構成モデルの寸法ならびにヘッダの構成を踏襲することができる。
【符号の説明】
【０１０９】
１  ＴＯパッケージ
２  ヘッダ
３  金属キャップ
４  接続ピン
５  プリント基板
６  内部空間
７  エミッタ
８  モニタダイオード
９  レンズ
１０  開口
１１  側壁
１２  ヘッダに隣接する側壁の領域
１３ａ  厚くされた側壁領域
１３ｂ  厚くされた端面壁領域
１４  フランジ
１５  移行領域
１６  下面
１７  結合領域
１８  ケーシング
１９  カップリング
２０  光接続構成群
２１  導光体
２２  フランジ
２３  ガラス板
２４  レンズ
２５ａ〜２５ｇ  溶接スポット
２６  上面
２７  端面壁
２８  移行領域の下側の領域
２９  フランジ
【図１】
2019169706.tif 000003
【図２】
2019169706.tif 000004
【図３】
2019169706.tif 000005
【図４】
2019169706.tif 000006
【図５】
2019169706.tif 000007
【図６】
2019169706.tif 000008
【外国語明細書】
2019169706.tif 000009
2019169706.tif 000010
2019169706.tif 000011
2019169706.tif 000012
2019169706.tif 000013
2019169706.tif 000014
2019169706.tif 000015
2019169706.tif 000016
2019169706.tif 000017
2019169706.tif 000018
2019169706.tif 000019
2019169706.tif 000020
2019169706.tif 000021
2019169706.tif 000022
2019169706.tif 000023
2019169706.tif 000024
2019169706.tif 000025
2019169706.tif 000026
2019169706.tif 000027
2019169706.tif 000028
2019169706.tif 000029
2019169706.tif 000030
2019169706.tif 000031
2019169706.tif 000032
2019169706.tif 000033
2019169706.tif 000034
2019169706.tif 000035
2019169706.tif 000036
2019169706.tif 000037
2019169706.tif 000038
2019169706.tif 000039
2019169706.tif 000040